(57)【要約】【課題】  周囲の空気を緩やかに調和する空気調和装置を提供する。【解決手段】  空気調和装置１は、生地で構成されるバルーン１０と、送風機１２と、空調部１４とを有し、空調部１４により加温または冷却された空気が送風機１２によりバルーン１０内へ送られ、バルーン１０の通気孔１０２から空気が漏れ出ることにより、バルーン１０の周囲を温めたり冷やしたりすることができる。通気孔１０２は、生地１００を構成する糸と糸、及び／又は、繊維と繊維の隙間であるため、穴は微小であり、漏れ出る空気の速度は緩やかである。したがって、空気調和装置１は、周囲の空気を緩やかに調和することができる。【選択図】図１
2018076988.tif 000002
【特許請求の範囲】
【請求項１】
バルーンと、
前記バルーンの表面に設けられた複数の通気孔と、
前記バルーンの内空間に送風する送風手段と、
前記送風手段により送風される空気を調節する空調手段と
を有する空気調和装置。
【請求項２】
前記バルーンは、少なくとも一部が生地で構成され、
前記通気孔は、前記生地を構成する繊維間及び／又は糸間の隙間である
請求項１に記載の空気調和装置。
【請求項３】
前記送風手段は、前記バルーンが膨らんだ状態を維持できる程度の風量で送風し、
前記空調手段は、送風される空気を加温又は冷却する
請求項１又は２に記載の空気調和装置。
【請求項４】
前記バルーンは、前記送風手段により送風される風量に応じて、織目の隙間の径が変化する織物、編目の隙間の径が変化する編物、又は、繊維間の隙間の径が変化する不織布で構成され、
前記送風手段は、送風する風量を複数の段階で変化させることができる
請求項１〜３のいずれか１項に記載の空気調和装置。
【請求項５】
前記バルーンを構成する生地の一部分のみを支持する支持手段
をさらに有し、
前記バルーンは、前記送風手段による送風によって形状が変化するように構成されている
請求項１〜４のいずれか１項に記載の空気調和装置。
【請求項６】
空気を調節するステップと、
調節された空気を、微小な通気孔が表面に複数設けられたバルーンの内空間に送風するステップと
を有する空気調和方法。
【発明の詳細な説明】
【技術分野】
【０００１】
本発明は、空気調和装置及び空気調和方法に関する。
【背景技術】
【０００２】
例えば、特許文献１には、白地の生地に透明樹脂または透明樹脂を主体とする塗料を塗布乾燥した布材であって、入射光に対する全光透過率を６８％以上とし平行光透過率を４％以下としたことを特徴とするバルーン照明用布材が開示されている。
【０００３】
また、特許文献２には、設置面に接触する基部と、その上方に配置される中空部材を有し、中空部材へ空気を供給するファンが設けられており、基部は発光体を収容しており、中空部材は可撓性を有する材料で構成されており且つ透光性のある領域を有しており、基部は剛性の高い材料で構成され、その下方の領域は平面と湾曲面で構成され、基部と設置面とが接触していることを特徴とする照明装置が開示されている。
【先行技術文献】
【特許文献】
【０００４】
【特許文献１】特開２０１６−０４６０２２
【特許文献２】特開２０１１−２１０３８２
【発明の概要】
【発明が解決しようとする課題】
【０００５】
優しさを感じさせる、また風を感じない優しい空調を実現する空気調和装置を提供することを目的とする。
【課題を解決するための手段】
【０００６】
本発明に係る空気調和装置は、バルーンと、前記バルーンの表面に設けられた複数の通気孔と、前記バルーンの内空間に送風する送風手段と、前記送風手段により送風される空気を調節する空調手段とを有する。
【０００７】
好適には、前記バルーンは、少なくとも一部が生地で構成され、前記通気孔は、前記生地を構成する繊維間及び／又は糸間の隙間である。
【０００８】
好適には、前記送風手段は、前記バルーンが膨らんだ状態を維持できる程度の風量で送風し、前記空調手段は、送風される空気を加温又は冷却する。
【０００９】
好適には、前記バルーンは、前記送風手段により送風される風量に応じて、織目の隙間の径が変化する織物、編目の隙間の径が変化する編物、又は、繊維間の隙間の径が変化する不織布で構成され、前記送風手段は、送風する風量を複数の段階で変化させることができる。
【００１０】
好適には、前記バルーンを構成する生地の一部分のみを支持する支持手段をさらに有し、前記バルーンは、前記送風手段による送風によって形状が変化するように構成されている。
【００１１】
本発明に係る空気調和方法は、空気を調節するステップと、調節された空気を、微小な通気孔が表面に複数設けられたバルーンの内空間に送風するステップとを有する。
【発明の効果】
【００１２】
周囲の空気を緩やかに調和して、優しい空調を実現する空気調和装置を提供できる。または、柔らかい印象の意匠性を備えた空気調査装置を提供できる。
【図面の簡単な説明】
【００１３】
【図１】空気調和装置１を例示する図である。
【図２】バルーン１０内の空気量に応じた空気調和装置１を例示する図である。
【図３】バルーン１０の生地１００を例示する図である。
【図４】空気調和装置１による、温風を送る場合の加温処理（Ｓ１０）を説明するフローチャートである。
【図５】伸縮性のある糸を使用した生地１００の通気孔１０２を説明する図である。
【００１４】
以下、本発明の実施形態を、図面を参照して説明する。
図１は、空気調和装置１を例示する図である。
図２は、バルーン１０内の空気量に応じた空気調和装置１を例示する図である。
図１に例示するように、空気調和装置１は、バルーン１０と、送風機１２と、空調部１４と、支持部１６と、電源ケーブル１８とにより構成される。
バルーン１０は、中空空間を有する袋状物体であり、その表面に複数の通気孔１０２（後述）を有する。例えば、バルーン１０は、少なくとも一部が生地で構成された袋である。図１のバルーン１０は、空気を入れて膨らませた状態である。バルーン１０の空気の吹き込み口は、送風機１２（後述）により塞がれ、送風機１２とバルーン１０とが一体となっている。バルーン１０は、生地で構成されるため、送風機１２（後述）による送風によって形状が変化する。例えば、図２（Ａ）に例示するように、空気が入っていない状態のバルーン１０はしぼんでおり、嵩が低いが、空気が入ると図２（Ｂ）に例示するように、バルーン１０は、膨らみ円形となる。
【００１５】
送風機１２は、バルーン１０の内空間に送風する装置である。送風機１２は、バルーン１０が膨らんだ状態を維持できる程度の風量で送風する。本例の送風機１２は、複数の穴が開いた、空気を取り込む吸気口１２０と、バルーン１０へ風を送る吹き出し口１２２とを有する。本例の送風機１２は、バルーン１０の内空間に収められているが、これに限定されるものではなく、例えば、吹き出し口１２２が、少なくとも、バルーン１０の表面と接触し、又は、バルーン１０内に配置され、他の部分がバルーン１０の外側に配置されてもよい。送風機１２は、吸気口１２０を介して空気調和装置１の外から空気を取り入れ、吹き出し口１２２からバルーン１０に送風する。さらに、送風機１２は、送風する風量を複数の段階で変化させる風速切替部１２４を有する。送風機１２は、本発明に係る送風手段の一例である。
【００１６】
空調部１４は、送風機１２により送風される空気を調節する装置である。例えば、空調部１４は、送風機１２により送風される空気を加温又は冷却する。本例の空調部１４は、発熱部１４０及び冷却部１４２を有する。発熱部１４０は、電気を熱に変換する発熱体であり、例えば、電球、電熱線、またはセラミックヒーター等である。発熱部１４０は、送風機１２により送風される空気を温める。また、冷却部１４２は、吸熱することで空気の温度を下げ、送風機１２により送風される空気を冷やす。冷却部１４２は、例えば、ペルチェ素子、氷、または冷蔵庫用冷却器等である。空調部１４は、本発明に係る空調手段の一例である。
送風機１２及び空調部１４は、バルーン１０内に配置されていることが好ましく、これにより、空気調和装置１は、コンパクトになり、意匠性も高まる。
【００１７】
支持部１６は、バルーン１０を構成する生地の一部分のみを支持する。例えば、支持部１６は、膨らんだ状態のバルーン１０の３分の１程度を支持する支持体である。図１では、支持部１６は、器状であるが、バルーン１０の膨張及び収縮を妨げない支持量と形状とであれば、これに限定されない。支持部１６は、本発明に係る支持手段の一例である。なお、本例では、支持部１６が設けられている形態を具体例として説明するが、これに限定されるものではなく、支持部１６が無くてもよい。
【００１８】
電源ケーブル１８は、差し込みプラグの付いた電源ケーブルや、ＵＳＢケーブルであり、これらをコンセントやパソコン等に差し込んで、電力の供給を受ける。
また、空気調和装置１は、電源ケーブル１８を持たず、バッテリー、または発電機を電源として備えてもよい。
空気調和装置１は、持ち運び可能なサイズと重さであり、卓上用としても使用できる。空気調和装置１は、送風機１２や、空調部１４を収納する筐体に、重いプラスチックまたは金属を使用せず、生地を使用しているため、軽量であり、持ち運びに適している。
【００１９】
図３は、バルーン１０を構成する生地１００を例示する図である。
図３に例示するように、生地１００は、繊維及び／又は糸が縦横に組み合わさっており、繊維及び／又は糸の間の隙間である通気孔１０２を有する。膨らんだバルーン１０の内空間から、通気孔１０２を通って空気が漏れ出る。本例では、バルーン１０を構成する生地１００は、多数の繊維及び／又は糸が縦横に組み合わさった織物、編物、または不織布等である。生地１００は、送風機のパワー、生地の重さ、及び通気度のバランスを考慮したうえで決定される。例えば、生地１００の素材は、天然繊維、再生繊維、無機繊維、半合成繊維、または合成繊維である。バルーン１０内の温風又は冷風をバルーン１０の外へ安定的に放出するためには、湿度等の影響を受けにくい合成繊維が好ましく、特に、ポリエステル繊維が好ましい。
さらに、生地１００には、染色やプリントが施されていてもよく、防汚性、制電性、制菌性、抗菌防臭性、消臭性、難燃性、及び抗アレルギー性等が付与されてもよい。
また、生地１００の形は、膨らんだバルーン１０が円形（平面視）となるようにしてもよいし、膨らんだバルーン１０が縦長または横長の楕円形（平面視）となるようにしてもよい。さらに、加温または冷却する空間の広さに応じて、バルーン１０の大きさを変更し、バルーン１０の表面から放出される温風又は冷風の量を調整してもよい。
【００２０】
バルーン１０が生地で構成されていることにより、生地を構成する糸と糸の間隙（通気孔１０２）から空気が抜けていく。また、通気孔１０２は微小であるため、空気は徐々にバルーン１０の外へ漏れ出る。すなわち、バルーン１０に生地を使用することにより、緩やかにバルーン１０の周囲を加温または冷却することができる。そして、バルーン１０の大半が生地で構成されている場合は、円形状に膨らんだバルーン１０全体から温風または冷風が漏れ出るため、バルーン１０の周囲すべてが緩やかに加温または冷却される。従来品では、吹き出し口の前で、暖房が効きすぎたり、吹き出し口の前からずれると、暖房または冷房効果が得られなかったが、本例の空気調和装置１では、空調範囲が、バルーン１０の周囲すべてであり、広範囲に空調の効果が均一に及ぶ。
また、通気孔１０２の大きさによっては、空気清浄効果も期待できる。通気孔１０２に埃等が詰まっても、バルーン１０が織物等の生地で構成されている場合には、洗濯も可能である。
【００２１】
図４は、空気調和装置１による空調処理（Ｓ１０）を説明するフローチャートである。なお、本例では、暖房運転である場合を具体例として説明する。
図４に例示するように、ステップ１００（Ｓ１００）において、送風機１２は、吸気口１２０から空気を取り入れ、吹き出し口１２２に向けて送風する。
ステップ１０５（Ｓ１０５）において、発熱部１４０は、電気により発熱し、送風機１２により送風された空気を温める。
ステップ１１０（Ｓ１１０）において、発熱部１４０により温められた空気は、吹き出し口１２２からバルーン１０内へ送られる。
ステップ１１５（Ｓ１１５）において、送風機１２による空気の流入によりバルーン１０が膨らみ、球形となる。そして、その後も空気が送られ続けると、バルーン１０の内壁面（生地１００の内側）には、空気による圧力がかかる。生地１００に対して一定の圧力がかかった場合に（Ｓ１１５：Ｙｅｓ）、空調処理（Ｓ１０）は、Ｓ１２０へ移行し、一定の圧力がかかっていなければ（Ｓ１１５：Ｎｏ）、空調処理（Ｓ１０）は、Ｓ１００に戻り、送風を継続する。
ステップ１２０（Ｓ１２０）において、送風機１２は、引き続き送風を継続し、バルーン１０は、バルーン１０の内空間に空気を留めておくことが出来ず、通気孔１０２から空気が漏れ出る。加温された空気が漏れ出ることにより、バルーン１０の周囲は温められる。
【００２２】
送風機１２は、さらに風速切替部１２４を有する。風速切替部１２４は、バルーン１０の内空間に送風する単位時間当たりの風量を調節する。風速切替部１２４は、例えば、「強」、「中」及び「弱」の三段階に風速を変更可能であり、「強」に設定した場合は、バルーン１０の内空間へ送風される単位時間当たりの風量が多くなり、バルーン１０の通気孔１０２から漏れ出る空気の量も多くなる。反対に、「弱」に設定した場合は、バルーン１０の通気孔１０２から漏れ出る空気の量は「強」や「中」よりも少なくなる。風速切替部１２４により、漏れ出る空気の量を調節することで、バルーン１０の周囲の空気を加温または冷却する早さを調節できる。
【００２３】
図５は、伸縮性のある糸を使用した生地１００の通気孔１０２を説明する図である。
図５に例示するように、バルーン１０は、送風機１２により送風される風量に応じて、織目の隙間（通気孔）の径が変化する織物、編目の隙間（通気孔）の径が変化する編物、又は、繊維間の隙間（通気孔）の径が変化する不織布で構成されてもよい。具体的には、生地１００を構成する糸が、伸縮性を有してもよい。伸縮性のある糸を使用することにより、風速切替部１２４により調節される風量に応じて通気孔１０２の大きさが変化する。例えば、風速が「強」の場合、バルーン１０内に送風された空気の圧力により生地１００の糸が伸び、通気孔１０２は大きくなる。これにより、通気孔１つ１つから漏れ出る空気量が大きくなり、バルーン１０の周囲をより早く加温または冷却することが可能になる。反対に、風速が「弱」の場合は、通気孔一つ一つの大きさが、風速が「強」の場合と比べて小さく、より緩やかに周囲の空気を調節することができる。
【００２４】
以上説明したように、空気調和装置１は、生地１００で構成されるバルーン１０と、送風機１２と、空調部１４とを有し、空調部１４により加温または冷却された空気が送風機１２によりバルーン１０内へ送られ、バルーン１０の通気孔から空気が漏れ出ることにより、バルーン１０の周囲を温めたり冷やしたりすることができる。通気孔１０２は、生地１００を構成する糸と糸との隙間、及び／又は、繊維と繊維との隙間であるため、穴は微小であり、漏れ出る空気の速度は緩やかである。したがって、空気調和装置１は、周囲の空気を緩やかに調和することができる。さらに、通気孔１０２は生地１００全体に亘って存在するため、生地１００全体から空気が漏れ出る。つまり、空気調和装置１は、従来品の空調装置のように吹き出し口の前だけで空調が効きすぎるということがなく、周囲を均一に温めたり冷やしたりできる。このことにより、呼吸器疾患の方や子供に風による不快感を与えることを抑制する。
さらに、また、バルーン１０は、生地１００の素材が繊維であるため、バルーン１０の形状が柔らかな印象を与える。
【００２５】
［変形例］
次に上記実施形態の変形例を説明する。
上記実施形態では、空気調和装置１によるバルーン１０の周囲を加温または冷却する形態を説明したが、これに限定されるものではなく、例えば、空気調和装置１は、湿気のある空気を放出し、周囲を加湿してもよい。すなわち、空調部１４は、空気の湿度を調節してもよい。具体的には、水を入れる容器を発熱部１４０と吹き出し口１２２との間に配置し、発熱部１４０により温められた空気により水を気化し、水蒸気を含んだ空気がバルーン１０から漏れ出るようにしてバルーン１０の周囲を加湿してもよい。
さらに、空気調和装置１は、加湿する場合と同様に、アロマオイルを入れる容器を有してもよい。すなわち、空調部１４は、空気の香りを調節してもよい。これにより、アロマオイルの香りを含んだ空気がバルーン１０から漏れ出し、バルーン１０の周囲にアロマオイルの香りが拡散する。
また、バルーン１０は、球状、ドーナツ状をはじめ、熊、キリン、ペンギン等の動物や、チューリップ等の植物、車、建物など任意の形状であってもよい。
また、バルーン１０の位置は上下左右に移動できると好ましい。バルーン１０から温風が漏れ出る場合は、バルーン１０は低い位置（漏れ出た温かい空気は上へ移動）に、冷風が漏れ出る場合は、バルーン１０は高い位置（漏れ出た冷たい空気は下へ移動）に移動することにより、それぞれの空調の効果を得られやすくすることができる。
【符号の説明】
【００２６】
１…空気調和装置
１０…バルーン
１２…送風機
１４…空調部
１６…支持部
１８…電源ケーブル
１００…生地
１０２…通気孔
１２０…吸気口
１２２…吹き出し口
１２４…風速切替部
１４０…発熱部
１４２…冷却部
【図１】
2018076988.tif 000003
【図２】
2018076988.tif 000004
【図３】
2018076988.tif 000005
【図４】
2018076988.tif 000006
【図５】
2018076988.tif 000007